Podtech/llm-jp-corpus-v4-ja_patent huggingface dataset:
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
担体物質としての平均粒径が５〜２００μｍの範囲の微粒子と、予防上又は治療上有効な物質としての１種又は複数のフリーラジカル捕捉剤とからなる、化学療法治療によって引き起こされる皮膚及び毛髪障害の保護又は治療用の局所用薬剤組成物であって、微粒子が、角質海綿、竹粉、カオリン、白土、炭酸カルシウム、シリカゲル、ケイ酸塩、活性炭又はそれらの混合物からなる群から選択される多孔質材である局所用薬剤組成物。
【請求項２】
組成物のラジカル保護係数が、電子スピン共鳴(ＥＳＲ)を用い、以下の比
ＲＰＦ＝(ＲＣ×ＲＦ)／ＰＩ
[式中、ＲＦ＝(Ｓ1−Ｓ2)／Ｓ1、ＲＣ＝試験物質の濃度(ラジカル／ｍｌ)、ＰＩ＝活性物質組成物の濃度(ｍｇ／ｍｌ)、Ｓ2＝酸化防止剤の信号振幅)]
に従って組成物のＥＳＲ測定結果と比較して、試験物質溶液中のフリーラジカル数(Ｓ1)を求めることによって測定され、組成物１ｍｇ当たり少なくとも８５×１０14ラジカルをなす、請求項１に記載の局所用薬剤組成物。
【請求項３】
組成物のラジカル保護係数が、組成物１ｍｇ当たり２００〜１２０００×１０14ラジカルである、請求項１に記載の局所用薬剤組成物。
【請求項４】
組成物中の１種又は複数のフリーラジカル捕捉剤の濃度が、組成物の全重量に関して０．０５〜４５重量％の範囲である、請求項１に記載の局所用薬剤組成物。
【請求項５】
フリーラジカル捕捉剤として、水溶性及び／又は脂溶性抗酸化剤、酵素、又は、それらの混合物を用いる、請求項１に記載の局所用薬剤組成物。
【請求項６】
フリーラジカル捕捉剤が、(１)未焙煎コーヒー豆、カメリア・シネンシス(Camellia sinensis)、クロヨナ(Pongamia pinnata)及びヨーロッパトウキ(Angelica archangelica)のアルコール性抽出物混合物、(２)ａ)マイクロカプセル中の、少なくとも９０重量％のプロアントシアニジンオリゴマーと最大１０重量％の没食子酸とを含むケブラチョ・ブランコ(Quebracho blanco)の樹皮の抽出とそれに続く酵素的加水分解とによって得られる生成物、ｂ)ペプチドセクロピン、アミノ酸及びビタミン混合物を含む、抽出によって得られたカイコの抽出物、ｃ)非イオン性、陽イオン性又は陰イオン性ハイドロゲル又はハイドロゲルの混合物、ｄ)１種又は複数のリン脂質、及びｅ)水の混合物、(３)β−及びγ−シクロデキストリンから選択される１種又は複数のシクロデキストリンを含む(２)と、少なくとも１５０ユニット／ｍｌのスーパーオキシドジスムターゼを含む、パン酵母又は醸造用酵母の超音波分解生成物とからなる生成物、並びに、(１)〜(３)の混合物からなる群から選択される、請求項１に記載の局所用薬剤組成物。
【請求項７】
角質海綿が、ユースポンギア・オフィシナリス(Euspongia officinalis)、スポンギア・ウシタチシマ(Spongia usitatissima)、ヒッポスポンギア・エキナ(Hippospongia equina)の種類の角質海綿又はそれらの混合物である、請求項１に記載の局所用薬剤組成物。
【請求項８】
組成物中の微粒子(類)の濃度が、組成物の全重量に関して、０．１〜１０重量％の範囲である、請求項１に記載の局所用薬剤組成物。
【請求項９】
５〜１００μｍの範囲の微粒子を用いる、請求項１に記載の局所用薬剤組成物。
【請求項１０】
クリーム、ローション、軟膏、ゲル又はエマルションの調製のための、請求項１に記載の局所用薬剤組成物。
【請求項１１】
製薬上許容される助剤を加える、請求項１に記載の局所用薬剤組成物。
【請求項１２】
化学療法治療によって引き起こされる皮膚損傷が手掌−足底紅斑異感覚症候群(ＰＰＥ)、紅斑及び乾燥肌である、請求項１に記載の局所用薬剤組成物。
【請求項１３】
化学療法治療によって引き起こされる毛髪損傷が脱毛症である、請求項１に記載の局所用薬剤組成物。
【請求項１４】
ａ) １種又は複数のフリーラジカル捕捉剤及び平均粒径が５〜２００μｍの範囲の、角質海綿、竹粉、カオリン、白土、炭酸カルシウム、シリカゲル、ケイ酸塩、活性炭又はそれらの混合物からなる群から選択される多孔質材である微粒子を含み、組成物中のラジカル捕捉剤の濃度が０．０５〜４５重量％の範囲であり、組成物中の微粒子の濃度が０．１〜１０重量％の範囲である局所用組成物と、
ｂ) 洗髪剤の全重量の最大２重量％のフリーラジカル捕捉剤を含む洗髪剤と
からなる化学療法治療によって引き起こされる毛髪損傷を保護又は治療するためのキット。
【請求項１５】
ａ) １種又は複数のフリーラジカル捕捉剤及び平均粒径が５〜２００μｍの範囲の、角質海綿、竹粉、カオリン、白土、炭酸カルシウム、シリカゲル、ケイ酸塩、活性炭又はそれらの混合物からなる群から選択される多孔質材である微粒子を含み、組成物中のラジカル捕捉剤の濃度が０．０５〜４５重量％の範囲であり、組成物中の微粒子の濃度が０．１〜１０重量％の範囲である局所用組成物と、
ｂ) クレンジング乳液の全重量の最大２重量％のフリーラジカル捕捉剤を含むクレンジング乳液と
からなる化学療法治療によって引き起こされる皮膚損傷を保護又は治療するためのキット。
【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
Ｔｈ１仲介免疫応答の阻害用の標的として使用するためのＧＰＲ１８。
【請求項２】
Ｔｈ１細胞活性化の阻害用の標的として使用するためのＧＰＲ１８。
【請求項３】
Ｔｈ１細胞活性化が仲介する障害を診断するためのＧＰＲ１８。
【請求項４】
Ｔｈ１細胞活性化により仲介される免疫障害を診断するためのＧＰＲ１８。
【請求項５】
Ｔｈ１細胞活性化が仲介する自己免疫障害を診断するためのＧＰＲ１８。
【請求項６】
Ｔｈ１細胞活性化が仲介する免疫障害と関連する炎症障害を診断するためのＧＰＲ１８。
【請求項７】
Ｔｈ１細胞活性化が仲介する乾癬を診断するためのＧＰＲ１８。
【請求項８】
炎症を起こしている皮膚におけるＴｈ１細胞の浸潤をモニタリングするためのＧＰＲ１８。
【請求項９】
請求項１から８のいずれかに記載の使用のためのバイオマーカーとしてのＧＰＲ１８。
【請求項１０】
Ｔｈ１細胞活性化が仲介する障害または疾患の診断法であって、
ａ)  個体のサンプルを提供し、
ｂ)  該サンプルにおけるＧＰＲ１８のレベルを測定し、
ｃ)  工程ｂ)で測定したＧＰＲ１８のレベルと、健常対照個体のサンプルからの参照レベルを比較し、そして
ｄ)  工程ｂ)において測定したＧＰＲ１８のレベルが該参照レベルと異なるか否かの決定により、Ｔｈ１細胞活性化が仲介する障害または疾患を診断する
ことを含む、方法。
【請求項１１】
Ｔｈ１細胞活性化が仲介する障害または疾患の軽減または治癒に対する効果を有することが予測される物質での、個体の治療における治療効果のモニタリング法であって、該個体のサンプルにおけるＧＰＲ１８のレベルを測定し、該物質投与前のＧＰＲ１８のレベルと比較することを含む、方法。
【請求項１２】
Ｔｈ１細胞活性化が仲介する障害または疾患用の薬剤をスクリーニングするためのキットであって、
ａ)  所望により標識された形態の、ＧＰＲ１８を認識する分子、
ｂ)  使用指示書、
ｃ)  所望により検出手段、および
ｄ)  所望により固相
を含む、キット。
【請求項１３】
個体のサンプルにおけるＴｈ１細胞活性化が仲介する障害または疾患を診断するためのキットであって、
ａ)  所望により標識された形態の、ＧＰＲ１８を認識する分子、
ｂ)  使用指示書、
ｃ)  所望により検出手段、および
ｄ)  所望により固相
を含む、キット。
【請求項１４】
Ｔｈ１細胞活性化を調節する薬剤を同定するためのアッセイ法であって、
ａ)  ＧＰＲ１８のレベルを調節することが予測される候補化合物の非存在下および存在下、ＧＰＲ１８特異的試験系中でＧＰＲ１８のレベルを測定し、
ｂ)  工程ａ)において測定したＧＰＲ１８のレベルを調節する候補化合物を、例えば薬剤として同定し、そして
ｃ)  このような薬剤をＴｈ１細胞活性化が仲介する障害または疾患の処置における医薬として使用する
ことを含む、アッセイ法。
【手続補正２】
【補正対象書類名】明細書
【補正対象項目名】００２７
【補正方法】変更
【補正の内容】
【００２７】
このような標識は慣用の標識、例えばビオチンまたは、アルカリホスファターゼ(ＡＰ)、ホースラディッシュペルオキシダーゼ(ＨＲＰ)もしくはペルオキシダーゼ(ＰＯＤ)のような酵素、または蛍光分子、例えばフルオレッセインイソチオシアネートのような蛍光染料であり得る。好ましくは本標識はビオチンである。標識担持分子、例えば標識担持抗体は慣用法により、例えば蛍光測定または酵素検出法を介して検出できる。
【手続補正３】
【補正対象書類名】明細書
【補正対象項目名】００４０
【補正方法】変更
【補正の内容】
【００４０】
Ｔリンパ球(Ｔ細胞)は乾癬において重要な役割を有すると考えられており、Ｔｈ１細胞活性化が主要な役割を有することが発見された。乾癬はまた遺伝要素である：乾癬症例の約１／３において、該疾患の家族歴がある。
【手続補正４】
【補正対象書類名】明細書
【補正対象項目名】００５０
【補正方法】変更
【補正の内容】
【００５０】
薬剤は、例えば患者のサンプル、例えば血清のような血液サンプル、または皮膚生検サンプルにおけるＧＰＲ１８阻害を介して、Ｔｈ１活性化のレベルを調節する、例えば減少させる、候補化合物である。薬剤は、オリゴペプチド、ポリペプチド、タンパク質、抗体、摸倣体、小分子、例えば低分子量化合物(ＬＭＷ'ｓ)を含む。
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
一般式Ｉの化合物、またはその医薬上許容される塩、互変異性体、誘導体、プロドラッグもしくは立体異性体：
【化１】
2008540362.tif 000001
［式中、Ｒ１、Ｒ２、Ｒ３およびＲ５は各々独立に、Ｈ、ＯＨ、ＮＯ２、ＮＨ２、ＳＨ、ＣＮ、ハロゲン、Ｃ（＝Ｏ）Ｈ、ＣＯ２Ｈ、ＣＯＯアルキル、置換または非置換Ｃ１−Ｃ１２アルキル、置換または非置換Ｃ２−Ｃ１２アルケニル、置換または非置換Ｃ２−Ｃ１２アルキニル、置換または非置換Ｃ４−Ｃ１８アリール、置換または非置換Ｃ４−Ｃ１８複素環基、置換または非置換Ｃ１−Ｃ１２アルコキシ、および置換または非置換Ｃ２−Ｃ１２アシルからなる群から選択されるものであり、
Ｙは、置換または非置換Ｃ１−Ｃ１２アルキレン、置換または非置換Ｃ２−Ｃ１２アルケニレンおよび置換または非置換Ｃ２−Ｃ１２アルキニレンからなる群から選択されるものであり、
Ｘは、Ｏ、ＳおよびＮＲａからなる群から選択されるものであり、
Ｒａは、Ｈ、ＯＨ、ＮＯ２、ＮＨ２、ＳＨ、ＣＮ、ハロゲン、Ｃ（＝Ｏ）Ｈ、ＣＯ２Ｈ、ＣＯＯアルキル、置換または非置換Ｃ１−Ｃ１２アルキル、置換または非置換Ｃ２−Ｃ１２アルケニル、置換または非置換Ｃ２−Ｃ１２アルキニル、置換または非置換Ｃ４−Ｃ１８アリール、置換または非置換Ｃ４−Ｃ１８複素環基、置換または非置換Ｃ１−Ｃ１２アルコキシ、および置換または非置換Ｃ２−Ｃ１２アシルからなる群から選択されるものであり、
Ｒ４は、置換または非置換Ｃ１−Ｃ３０アルキル、置換または非置換Ｃ２−Ｃ３０アルケニル、置換または非置換Ｃ２−Ｃ３０アルキニル、および置換または非置換Ｃ４−Ｃ３０アルケニニルからなる群から選択されるものであり、かつ、
点線は、Ｒ１が存在しない場合にはＮａ−Ｃｂに、Ｒ５が存在しない場合にはＣｂ−Ｘに、またはＲ２が存在しない場合にはＣｂ−Ｎｃに位置する任意の追加の結合を表し、
ここで、アルキル、アルケニル、アルキニル、アルケニニル、アルキレン、アルケニレンおよびアルキニレン基は、ＯＨ、ＮＯ２、ＳＨ、ＣＮ、ハロゲン、Ｃ（＝Ｏ）Ｈ、所望により置換されたＣ１−Ｃ１２アルコキシ、所望により置換されたＣ１−Ｃ１２アルカノイルオキシ、所望により置換されたＣ４−Ｃ１９ アロイルオキシ、所望により置換されたＣ４−Ｃ１６アラルカノイルオキシ、ハロゲン、所望により置換されたＣ４−Ｃ１８アリール、アミノ、モノ−（Ｃ１−Ｃ１２アルキル）アミノおよびジ−（Ｃ１−Ｃ１２アルキル）アミノ、所望により置換されていてもよいグアニジン、所望により置換されていてもよいＣ１−Ｃ１２アルコキシカルボニル、所望により置換されたＣ４−Ｃ１１アリールオキシカルボニル、所望により置換されたＣ４−Ｃ１１アラルキルオキシカルボニル、カルバモイル、Ｎ−（Ｃ１−Ｃ２０アルキル）カルバモイルおよびＮ，Ｎ−ジ−（Ｃ１−Ｃ２０アルキル）カルバモイルから選択される基によって所望により置換されていてもよい］。
【請求項２】
下式ＩＩを有する、請求項１に記載の化合物：
【化２】
2008540362.tif 000002
［式中、Ｒ１、Ｒ２、Ｒ３、Ｒ４およびＹが請求項１で定義された通りであり、Ｘが、Ｏ、ＳおよびＮＨからなる群から選択されるものである］。
【請求項３】
Ｙが置換または非置換Ｃ１−Ｃ６アルキレンであり、ＸがＮＨである、請求項１または２に記載の化合物。
【請求項４】
Ｒ１、Ｒ２、Ｒ３およびＲ５が各々独立に、Ｈ、ＯＨ、ＮＯ２、ＮＨ２、ＳＨ、ＣＮ、ハロゲン、Ｃ（＝Ｏ）Ｈ、ＣＯ２Ｈ、ＣＯＯアルキル、置換または非置換Ｃ１−Ｃ６アルキルおよび置換または非置換Ｃ２−Ｃ６アシルからなる群から選択されるものである、請求項１に記載の化合物。
【請求項５】
Ｒ１、Ｒ２およびＲ３が各々独立に、Ｈ、ＯＨ、ＮＯ２、ＮＨ２、ＳＨ、ＣＮ、ハロゲン、Ｃ（＝Ｏ）Ｈ、ＣＯ２Ｈ、ＣＯＯアルキル、置換または非置換Ｃ１−Ｃ６アルキル、および置換または非置換Ｃ２−Ｃ６アシルからなる群から選択されるものである、請求項２に記載の化合物。
【請求項６】
Ｒ４が
【化３】
2008540362.tif 000003
である、請求項１〜５のいずれか一項に記載の化合物。
［式中、ｎは、１〜１２の整数であり、
ｍは、１〜１０の整数であり、
Ｒ６は、Ｈ、ＯＨ、ＮＯ２、ＳＨ、ＣＮ、ハロゲン、Ｃ（＝Ｏ）Ｈ、所望により置換されたＣ１−Ｃ１２アルコキシ、所望により置換されたＣ１−Ｃ１２アルカノイルオキシ、所望により置換されたＣ４−Ｃ１８ アロイルオキシ、所望により置換されたＣ４−Ｃ１６アラルカノイルオキシ、所望により置換されたＣ４−Ｃ１８アリール、アミノ、モノ−（Ｃ１−Ｃ１２アルキル）アミノ、ジ−（Ｃ１−Ｃ１２アルキル）アミノ、所望により置換されたよいグアニジン、所望により置換されたＣ１−Ｃ１２アルコキシカルボニル、所望により置換されたＣ４−Ｃ１１アリールオキシカルボニル、所望により置換されたＣ４−Ｃ１１アラルキルオキシカルボニル、カルバモイル、Ｎ−（Ｃ１−Ｃ２０アルキル）カルバモイルおよびＮ，Ｎ−ジ−（Ｃ１−Ｃ２０アルキル）カルバモイルからなる群から選択されるものであり、
点線は付加の一重結合または二重結合を表す］。
【請求項７】
ｎが１〜８の整数であり、ｍが１〜５の整数であり、Ｃ１−Ｃ２間に二重結合が存在し、Ｃ３−Ｃ４間に三重結合が存在する、請求項６に記載の化合物。
【請求項８】
下式を有する請求項１または２に記載の化合物、またはその医薬上許容される塩、互変異性体、誘導体、プロドラッグもしくは立体異性体。
【化４】
2008540362.tif 000004
【請求項９】
下式を有する請求項１または２に記載の化合物、またはその医薬上許容される塩、互変異性体、誘導体、プロドラッグもしくは立体異性体。
【化５】
2008540362.tif 000005
【請求項１０】
下式を有する請求項１に記載の化合物、またはその医薬上許容される塩、互変異性体、誘導体、プロドラッグもしくは立体異性体。
【化６】
2008540362.tif 000006
【請求項１１】
トリフルオロ酢酸塩の形態である、請求項１〜１０のいずれか一項に記載の化合物。
【請求項１２】
サンゴのメアンドリナ・メアンドリテスからの抽出および単離を含む、請求項１〜１１のいずれか一項に記載の化合物を得る方法。
【請求項１３】
化合物Ｒ、またはその医薬上許容される塩、互変異性体、誘導体、プロドラッグもしくは立体異性体と、医薬上許容される希釈剤または担体とを含む、請求項１〜１１のいずれか一項に記載の化合物を含んでなる医薬組成物。
【請求項１４】
癌の治療用の、請求項１３に記載の医薬組成物。
【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
以下からなる群から選択される臭化チオトロピウムの結晶物：
-  Ｘ線粉末ダイアグラムにおいてd=5.89Åであることを特徴とする、結晶性臭化チオトロピウム無水物、
-  Ｘ線粉末ダイアグラムにおいてd=4.14Åであることを特徴とする、結晶性臭化チオトロピウムのメタノール溶媒和物、
-  Ｘ線粉末ダイアグラムにおいてd=4.15Åであることを特徴とする、結晶性臭化チオトロピウムのエタノール溶媒和物、
-  Ｘ線粉末ダイアグラムにおいてd=4.17Åであることを特徴とする、結晶性臭化チオトロピウムのイソプロパノール溶媒和物、
-  Ｘ線粉末ダイアグラムにおいてd=4.92Åであることを特徴とする、結晶性臭化チオトロピウムのＴＨＦ溶媒和物、
-  Ｘ線粉末ダイアグラムにおいてd=4.15Åであることを特徴とする、結晶性臭化チオトロピウムの１，４−ジオキサン溶媒和物、
-  Ｘ線粉末ダイアグラムにおいてd=5.69Åであることを特徴とする、結晶性臭化チオトロピウムのジメチルホルムアミド溶媒和物、
-  Ｘ線粉末ダイアグラムにおいてd=6.56Åであることを特徴とする、結晶性臭化チオトロピウムの塩化メチレン／メチルエチルケトン混合溶媒和物、及び
-  Ｘ線粉末ダイアグラムにおいてd=4.94Åであることを特徴とする、結晶性臭化チオトロピウムの１−ブタノール溶媒和物。
【請求項２】
Ｘ線粉末ダイアグラムにおいてd=5.89Å、4.90Å及び4.84Åであることを特徴とする、請求項１記載の結晶性臭化チオトロピウム無水物。
【請求項３】
Ｘ線粉末ダイアグラムにおいてd=4.94Å、4.50Å及び4.14Åであることを特徴とする、請求項１記載の結晶性臭化チオトロピウムのメタノール溶媒和物。
【請求項４】
Ｘ線粉末ダイアグラムにおいてd=4.90Å、4.46Å及び4.15Åであることを特徴とする、請求項１記載の結晶性臭化チオトロピウムのエタノール溶媒和物。
【請求項５】
Ｘ線粉末ダイアグラムにおいてd=4.91Å、4.48Å及び4.17Åであることを特徴とする、請求項１記載の結晶性臭化チオトロピウムのイソプロパノール溶媒和物。
【請求項６】
Ｘ線粉末ダイアグラムにおいてd=5.80Å、4.92Å及び4.15Åであることを特徴とする、請求項１記載の結晶性臭化チオトロピウムのＴＨＦ溶媒和物。
【請求項７】
Ｘ線粉末ダイアグラムにおいてd=5.79Å、4.92Å及び4.15Åであることを特徴とする、請求項１記載の結晶性臭化チオトロピウムの１，４−ジオキサン溶媒和物。
【請求項８】
Ｘ線粉末ダイアグラムにおいてd=5.69Å、4.94Å及び4.11Åであることを特徴とする、請求項１記載の結晶性臭化チオトロピウムのＤＭＦ溶媒和物。
【請求項９】
Ｘ線粉末ダイアグラムにおいてd=6.56Å、4.22Å及び4.13Åであることを特徴とする、請求項１記載の結晶性臭化チオトロピウムの塩化メチレン／メチルエチルケトン混合溶媒和物。
【請求項１０】
Ｘ線粉末ダイアグラムにおいてd=4.94Å、4.51Å及び4.17Åであることを特徴とする、請求項１記載の結晶性臭化チオトロピウムの１−ブタノール溶媒和物。
【請求項１１】
結晶性臭化チオトロピウム一水和物のジメチルホルムアミド溶液をアセトニトリルに添加し、得られた混合物を20℃未満に冷却し、できた結晶を単離させることを特徴とする、請求項１記載の結晶性臭化チオトロピウム無水物の製造方法。
【請求項１２】
無水臭化チオトロピウムをメタノール含有溶媒から再結晶させることを特徴とする、請求項１記載の結晶性臭化チオトロピウムのメタノール溶媒和物の製造方法。
【請求項１３】
無水臭化チオトロピウムをエタノール含有溶媒から再結晶させることを特徴とする、請求項１記載の結晶性臭化チオトロピウムのエタノール溶媒和物の製造方法。
【請求項１４】
結晶性臭化チオトロピウム一水和物のイソプロパノール溶液を20℃未満に冷却し、できた結晶を単離させることを特徴とする、請求項１記載の結晶性臭化チオトロピウムのイソプロパノール溶媒和物の製造方法。
【請求項１５】
結晶性臭化チオトロピウム一水和物の好適なアルコール溶液をＴＨＦ含有溶液に添加し、できた結晶を単離させることを特徴とする、請求項１記載の結晶性臭化チオトロピウムのＴＨＦ溶媒和物の製造方法。
【請求項１６】
結晶性臭化チオトロピウム一水和物の好適なアルコール溶液を１，４−ジオキサン含有溶液に添加し、できた結晶を単離させることを特徴とする、請求項１記載の結晶性臭化チオトロピウムの１，４−ジオキサン溶媒和物の製造方法。
【請求項１７】
結晶性臭化チオトロピウム一水和物のＤＭＦ溶液をメチルｔ−ブチルエーテルに添加し、できた結晶を単離させることを特徴とする、請求項１記載の結晶性臭化チオトロピウムのＤＭＦ溶媒和物の製造方法。
【請求項１８】
結晶性臭化チオトロピウム一水和物の好適なアルコール溶液を、塩化メチレン及びメチルエチルケトンを含む溶媒に添加し、得られた混合物を20℃未満に冷却してもよく、できた結晶を単離させることを特徴とする、請求項１記載の結晶性臭化チオトロピウムの塩化メチレン／メチルエチルケトン混合溶媒和物の製造方法。
【請求項１９】
結晶性臭化チオトロピウム一水和物の好適なアルコール溶液を、１−ブタノールを含む溶媒に添加して、得られた混合物を20℃未満、好ましくは10℃未満に冷却してもよく、できた結晶を単離させることを特徴とする、請求項１記載の結晶性臭化チオトロピウムの１−ブタノール溶媒和物の製造方法。
【請求項２０】
請求項１〜１０のいずれか１項記載のチオトロピウムを含有することを特徴とする医薬組成物。
【請求項２１】
前記医薬組成物が、請求項１〜１０のいずれか１項記載のチオトロピウムと共に、ベータ受容体刺激薬(betamimetics)、ＥＧＦＲ阻害剤、ＰＤＥIV-阻害剤、ステロイド類及びＬＴＤ４拮抗薬から選択される１種以上の有効成分とを含み、さらに、医薬的に許容される賦形剤を一緒に含んでいてもよい、請求項２０記載の医薬組成物。
【請求項２２】
請求項１記載のチオトロピウム結晶物を製造するための、出発物質としての結晶性臭化チオトロピウム一水和物の使用。
【請求項２３】
請求項１記載のチオトロピウム結晶物を製造するための、出発物質としての結晶性臭化チオトロピウム無水物の使用。
【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
タンパク質、ペプチド又は機能性核酸分子をコードする核酸に作動可能に連結された熱誘導性プロモーターを有する組換え核酸分子を含む少なくとも１つの細胞と、電磁放射線又は磁場に曝露された時に熱を放出することができる少なくとも１つの熱放出剤とを含む、浸透性カプセル。
【請求項２】
前記電磁放射線が、電波、電磁波又は赤外線であることを特徴とする、請求項１記載のカプセル。
【請求項３】
前記熱放出剤が、少なくとも１つの粒子を含むことを特徴とする、請求項１又は２記載のカプセル。
【請求項４】
前記粒子が、金属を含むことを特徴とする、請求項３記載のカプセル。
【請求項５】
前記粒子が磁性であることを特徴とする、請求項３又は４記載のカプセル。
【請求項６】
前記粒子が、1 nm〜100 μmの粒径であることを特徴とする、請求項３〜５のいずれか１項記載のカプセル。
【請求項７】
前記細胞が、真核細胞又は原核細胞であることを特徴とする、請求項１〜６のいずれか１項記載のカプセル。
【請求項８】
少なくとも１つの細胞が、哺乳動物細胞であることを特徴とする、請求項１〜７のいずれか１項記載のカプセル。
【請求項９】
前記熱誘導性プロモーターが、hsp70、hsp20-30、hsp27、hsp40、hsp60、hsp90及びそれらの組合せからなる群より選ばれることを特徴とする、請求項１〜８のいずれか１項記載のカプセル。
【請求項１０】
前記熱誘導性プロモーターが、ハイブリッド又はキメラ型の熱誘導性プロモーターであることを特徴とする、請求項１〜９のいずれか１項記載のカプセル。
【請求項１１】
前記ハイブリッド又はキメラ型の熱誘導性プロモーターが、ミニマル・プロモーター、及び熱誘導性プロモーターの少なくとも１つの制御要素を含むことを特徴とする、請求項１０記載のカプセル。
【請求項１２】
前記熱誘導性プロモーターが、少なくとも2つのコンセンサス配列を含み、各コンセンサス配列が3つのペンタマー単位からなり、当該ペンタマー単位が配列XGAAY又は逆配列Y'TTCX'を有し、ここでXは、A、T、G及びGからなる群より選ばれ、少なくとも1つのコンセンサス配列の当該3つのペンタマー単位の内の少なくとも1つのYは、A、T及びCからなる群より選ばれ、当該少なくとも1つのコンセンサス配列の残りのペンタマー単位のYは、A、T、G及びCからなる群より選ばれ、それにより、当該DNA分子が6つ超のコンセンサス配列を含む場合には、全てのペンタマー単位のYは、A、T、G及びCからなる群より選ばれる、ことを特徴とする、請求項１〜１１のいずれか１項記載のカプセル。
【請求項１３】
前記プロモーターが、4〜24のコンセンサス配列を含むことを特徴とする、請求項１２記載のカプセル。
【請求項１４】
前記コンセンサス配列が、2〜10 bpにより分断されることを特徴とする、請求項１２又は１３記載のカプセル。
【請求項１５】
前記の少なくとも1つのコンセンサス配列の中央のペンタマー単位が、外側のペンタマー単位に対する逆配列であることを特徴とする、請求項１２〜１４のいずれか１項記載のカプセル。
【請求項１６】
XがC又はGであることを特徴とする、請求項１２〜１５のいずれか１項記載のカプセル。
【請求項１７】
YがCであることを特徴とする、請求項１２〜１４のいずれか１項記載のカプセル。
【請求項１８】
少なくとも1つのコンセンサス配列が、AGAAC GTTCT AGAACであることを特徴とする、請求項１２〜１４のいずれか１項記載のカプセル。
【請求項１９】
請求項１〜１８のいずれか１項記載の少なくとも1つのカプセルを含むインプラント。
【請求項２０】
−タンパク質、ペプチド又は機能性核酸をコードする核酸に作動可能に連結された熱誘導性プロモーターを含む、ベクター又は核酸分子；
−請求項１〜６のいずれか１項記載の少なくとも1つの熱放出剤；及び
−場合により、熱誘導性プロモーターの制御下に、タンパク質もしくはペプチドを発現し、又は機能性核酸分子を転写することができる細胞、
を含むキット。
【請求項２１】
請求項１〜１８のいずれか１項記載の少なくとも1つのカプセルを含む、医薬又は医薬組成物。
【請求項２２】
請求項１〜１８のいずれか１項記載のカプセル又は請求項１９記載のインプラントの製造方法であって、以下のステップ：
−熱誘導性プロモーターの制御下に、タンパク質、ペプチド又は機能性核酸を組換え的に産生することができる細胞を提供し；
−タンパク質、ペプチド又は機能性核酸をコードする核酸に作動可能に連結された請求項９〜１８のいずれか１項記載の熱誘導性プロモーターを含む核酸分子を導入し；及び
−隔膜中に、請求項１〜６のいずれか１項記載の熱放出剤と共に当該細胞をカプセル化すること、
を含む、前記方法。
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
黄斑変性と診断された被験体に投与するための、テトラメチルピラジンまたはその塩を含む黄斑変性の治療用組成物。
【請求項２】
黄斑変性が加齢性である、請求項1記載の組成物。
【請求項３】
被験体がヒトである、請求項1記載の組成物。
【請求項４】
投与が眼への局所投与である、請求項1記載の組成物。
【請求項５】
塩が塩酸塩である、請求項1記載の組成物。
【請求項６】
液体溶液である、請求項1記載の組成物。
【請求項７】
黄斑変性と診断された被験体に投与するための、脈絡膜新生血管を低減するよう作用する、下記の式の置換もしくは非置換化合物またはその塩を含む黄斑変性の治療用組成物：
2008540528.tif 000001
。
【請求項８】
黄斑変性と診断された被験体に投与するための、ヒドラジンまたはその塩を含む黄斑変性の治療用組成物。
【請求項９】
黄斑変性が加齢性である、請求項8記載の組成物。
【請求項１０】
被験体がヒトである、請求項8記載の組成物。
【請求項１１】
投与が眼への局所投与である、請求項8記載の組成物。
【請求項１２】
塩が塩酸塩、ヒドロクロロチアジド塩または二硝酸イソソルビド塩である、請求項8記載の組成物。
【請求項１３】
液体溶液である、請求項8記載の組成物。
【請求項１４】
黄斑変性と診断された被験体に投与するための、脈絡膜新生血管を低減するよう作用する、下記の式の置換もしくは非置換化合物またはその塩を含む黄斑変性の治療用組成物：
2008540528.tif 000002
。
【請求項１５】
黄斑変性と診断された被験体に投与するための、グアナベンズまたはその塩を含む、黄斑変性の治療用組成物。
【請求項１６】
黄斑変性が加齢性である、請求項15記載の組成物。
【請求項１７】
被験体がヒトである、請求項15記載の組成物。
【請求項１８】
投与が眼への局所投与である、請求項15記載の組成物。
【請求項１９】
塩が塩酸塩および酢酸塩からなる群より選択される、請求項15記載の組成物。
【請求項２０】
液体溶液である、請求項15記載の組成物。
【請求項２１】
黄斑変性と診断された被験体に投与するための、脈絡膜新生血管を低減するよう作用する、下記の式の置換もしくは非置換化合物またはその塩を含む黄斑変性の治療用組成物：
2008540528.tif 000003
。
【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
（ａ）少なくとも１つのイオウ原子を環内に有する少なくとも１つの環状アリル化合物と、
（ｂ）少なくとも１つの置換（メタ）アクリロイル化合物と、
を含む、硬化性歯科用組成物。
【請求項２】
少なくとも１つの前記環状アリル化合物が、８員環ジスルフィドを含む、請求項１に記載の組成物。
【請求項３】
前記イオウ原子が、ＳＯ、ＳＯ2、又はＳ−Ｓ部分の一部である、請求項１に記載の組成物。
【手続補正書】
【提出日】平成21年5月21日(2009.5.21)
【手続補正１】
【補正対象書類名】特許請求の範囲
【補正対象項目名】請求項３９
【補正方法】変更
【補正の内容】
【請求項３９】
請求項４、８、１２、１５、１９、２４、２５、２７、２９、３６又は３８記載の組成物において、前記化合物はオレオカンタール、前記オレオカンタールの（−）−エナンチオマー、又は前記オレオカンタールの（＋）−エナンチオマーである。
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
フラノクマリン不純物類を実質的に含まないバクチオール含有組成物。
【請求項２】
バクチオールが植物から分離されたものである、請求項１の組成物。
【請求項３】
植物がソラレア属（Psoralea）植物から選択される、請求項２の組成物。
【請求項４】
植物がオランダビユ（Psoralea corylifolia L.）（マメ科）またはソラレア・グランデュロサ・Ｌ．（Psoralea glandulosa L.）（狭義のマメ科）から選択される、請求項３の組成物。
【請求項５】
組成物が、種子、幹、樹皮、側枝、塊茎、根、根皮、若芽（young shoot）、根茎、花および他の生殖器官、葉および他の気生部分から選択される植物部分、又は植物全体から分離されたものである、請求項３の組成物。
【請求項６】
組成物中のバクチオールの量が約27〜100重量％である、請求項１の組成物。
【請求項７】
組成物中のバクチオールの量が少なくとも30%である、請求項６の組成物。
【請求項８】
フラノクマリン類がソラレンおよびイソソラレンから選択される、請求項１の組成物。
【請求項９】
フラノクマリン不純物類を実質的に含まないバクチオール含有組成物の調製方法であって、
a）バクチオールを含有する植物を有機溶媒で抽出し；
b）工程a）で得た有機抽出物を塩基で処理し；そして
c）この混合物を精製して、該不純物を含まないバクチオール組成物を得る
工程を含む方法。
【請求項１０】
前記精製の方法が、カラムクロマトグラフィー、抽出に続く結晶化、溶媒分配、再結晶、およびその組合わせよりなる群から選択される、請求項９の方法。
【請求項１１】
シクロオキシゲナーゼ（COX）およびリポキシゲナーゼ（LOX）により仲介される、皮膚、歯、口腔または歯肉の疾患および状態を予防又は治療するための医薬組成物であって、有効量のバクチオールを含み、フラノクマリン不純物類を実質的に含まない、医薬組成物。
【請求項１２】
組成物中のバクチオールの量が27〜100重量％である、請求項１１の医薬組成物。
【請求項１３】
COXおよびLOXにより仲介される皮膚の疾患および状態が、日焼け、熱傷、アクネ、ふけ、局所創傷；真菌、微生物およびウイルス感染により起きる軽度の炎症状態；白斑、全身性エリテマトーデス、乾癬、癌、メラノーマ、ならびに哺乳類の他の皮膚癌；紫外（UV）線、化学薬品、熱、風および乾燥環境への曝露により生じる皮膚損傷；しわ、皮膚のたるみ、目の周囲のしわおよびくま、皮膚炎、ならびに皮膚の他のアレルギー関連状態よりなる群から選択される、請求項１１の医薬組成物。
【請求項１４】
口腔、歯肉および歯の疾患および状態が、歯周疾患、口腔前癌状態、口腔癌、および他の口腔悪性疾患、歯肉および歯の知覚過敏；義歯の理学的移殖、外傷、傷害、歯軋りおよび他の軽度の損傷により口腔、歯肉または舌に起きる後遺症、歯髄炎、刺激、痛みおよび炎症；歯垢および歯石、歯の脱灰、タンパク質分解および虫歯（齲食）よりなる群から選択される、請求項１１の医薬組成物。
【請求項１５】
投与経路が、局所、エアゾル剤、坐剤、皮内、筋肉内および静脈内投与よりなる群から選択される、請求項１１の医薬組成物。
【請求項１６】
投与経路が局所である、請求項１５の医薬組成物。
【請求項１７】
非粘着性ガーゼ、包帯、綿棒、拭い布、パッチ、マスク、洗浄剤、防腐剤、溶液剤、クリーム剤、ローション剤、軟膏剤、ゲル剤もしくは乳剤、液剤、パスタ剤、石鹸、または散剤を用いて投与するための、請求項１６の医薬組成物。
【請求項１８】
さらに、医薬的、皮膚科学的又は化粧的に局所投与するのに適切である一般的賦形剤、ならびに場合により佐剤および／またはキャリヤー、および／または通常放出用もしくは制御放出用ビヒクルを含む、請求項１１の医薬組成物。
【請求項１９】
骨関節炎および慢性関節リウマチの病的状態による全般的な関節の痛みおよび硬直、運動性欠如ならびに身体機能喪失；月経痙攣、動脈硬化症、肥満症、糖尿病、アルツハイマー病、呼吸器系アレルギー反応、慢性静脈不全、乾癬、慢性緊張性頭痛、片頭痛、炎症性腸疾患、前立腺癌および他の充実性腫瘍よりなる群から選択される、COXおよびLOXにより仲介される他の疾患および状態を予防又は治療するための医薬組成物であって、有効量のバクチオールを含み、フラノクマリン不純物類を実質的に含まない、医薬組成物。
【請求項２０】
微生物感染により仲介される皮膚、口腔、歯または歯肉の疾患および状態を予防又は治療するための医薬組成物であって、有効量のバクチオールを含み、フラノクマリン不純物類を実質的に含まない、医薬組成物。
【請求項２１】
微生物感染が、細菌感染、ウイルス感染または真菌感染よりなる群から選択される、請求項２０の医薬組成物。
【請求項２２】
細菌が、プロピオニバクテリウム・アクネス（Propionibacterium acnes）または表皮ブドウ球菌（Staphylococcus epidermidis）から選択される、請求項２１の医薬組成物。
【請求項２３】
皮膚、口腔、歯または歯肉の状態が、ふけ、アクネ、足白癬、局所創傷；虫歯、歯肉炎、歯周炎、歯髄炎、義歯の理学的移殖、外傷、傷害、歯軋り、新生物および他の変性過程で起きる歯周状態、白質、ペリクル、歯垢、歯石ならびに着色よりなる群から選択される歯周疾患よりなる群から選択される、請求項２０の医薬組成物。
【請求項２４】
投与経路が、局所、エアゾル剤、坐剤、皮内、筋肉内および静脈内投与よりなる群から選択される、請求項２０の医薬組成物。
【請求項２５】
投与経路が局所である、請求項２４の医薬組成物。
【請求項２６】
非粘着性ガーゼ、包帯、綿棒、拭い布、パッチ、マスク、洗浄剤、防腐剤、溶液剤、クリーム剤、ローション剤、軟膏剤、ゲル剤もしくは乳剤、液剤、パスタ剤、石鹸、または散剤を用いて投与するための、請求項２５の医薬組成物。
【請求項２７】
さらに、医薬的、皮膚科学的又は化粧的に局所投与するのに適切である一般的賦形剤、ならびに場合により佐剤および／またはキャリヤー、および／または通常放出用もしくは制御放出用ビヒクルを含む、請求項２０の医薬組成物。
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
次式で表される化合物、又はその薬理学的に許容できる塩。
【化１】
2008540554.tif 000001
（Ｉ）
（式中、
Ｒ１はＣＮ、ＮＯ２、ＳＯ２Ｍｅ、Ｃ（Ｏ）Ｍｅ、ＣＨ＝ＮＯＭｅ又はヘテロ環を表し、
Ｒ２はハロ、ハロ（Ｃ１−Ｃ４）アルキル又は（Ｃ１−Ｃ４）アルキル基を表し、
Ｒ３は水素原子又は（Ｃ１−Ｃ４）アルキル基を表し、
Ｒ４はアリール、ヘテロ環又はベンゼン融合ヘテロ環を表し、各々任意に以下からなる群から選択される１から２つの置換基：
（ａ）  ハロ、
（ｂ）  （Ｃ１−Ｃ４）アルキル、
（ｃ）  （Ｃ１−Ｃ４）アルコキシ、
（ｄ）  ハロ（Ｃ１−Ｃ４）アルキル、
（ｅ）  ハロ（Ｃ１−Ｃ４）アルコキシ、
（ｆ）  ＳＲ７、
（ｇ）  ＳＯ２Ｒ８、
（ｈ）  アミノ、
（ｉ）  ＮＨ−（Ｃ１−Ｃ４）アルキルアミン、
（ｊ）  Ｎ，Ｎ−（Ｃ１−Ｃ４）ジアルキルアミン、
（ｋ）  ＮＨＣＯＲ９及び
（ｌ）  ＮＨＳＯ２Ｒ１０で置換されてもよく、
Ｒ４ａは水素又はメチル基を表し、
Ｒ５は水素原子、ＯＨ、ＣＨ２ＯＨ、ハロ又は（Ｃ１−Ｃ４）アルキル基を表し、
Ｒ６は水素原子、ＯＨ又は（Ｃ１−Ｃ４）アルキル基を表し、
但しＲ５及びＲ６が各々ＯＨを表すとき、それらは同じ炭素原子と結合せず、
Ｒ７からＲ１０は各々独立に（Ｃ１−Ｃ４）アルキル基を表す。）
【請求項２】
Ｒ２がクロロ又はトリフルオロメチル基を表し、
Ｒ３が水素原子、メチル又はエチルを表し、
Ｒ４が次式の群を表し、
【化２】
2008540554.tif 000002
Ｒ５が水素原子又はメチルを表し、
Ｒ６が水素原子又はメチルを表す請求項１記載の化合物。
【請求項３】
以下からなる群から選択される、請求項１記載の化合物。
【化３】
2008540554.tif 000003
【請求項４】
薬理学的に許容できる担体、希釈剤又は賦形剤との組み合わせで、請求項１から３のいずれか１項記載の化合物を有効成分として含んでなる医薬組成物。
【請求項５】
筋肉質量又は強さの減少、虚弱、性腺機能不全、骨粗鬆症、オステオペニア、骨質量又は密度（独立に、又はアンドロゲン剥奪療法の結果として発生する）の減少、骨折、骨格筋減少症、加齢に関連する機能低下（ＡＲＦＤ）、性衝動の減少、男性又は女性の性的機能不全、勃起障害、うつ病、前立腺癌、減少した認識能力又は嗜眠の治療用の薬物の製造のための、請求項１から３のいずれか１項記載の化合物又はその薬理学的に許容できる塩の使用。
【手続補正書】
【提出日】平成21年4月13日(2009.4.13)
【手続補正１】
【補正対象書類名】明細書
【補正対象項目名】発明の名称
【補正方法】変更
【補正の内容】
【発明の名称】置換されたスピロ化合物及び鎮痛剤の製造へのその使用
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
次のTable 1において指示する式(I)の3-アミノカルバゾールのベンゾイル誘導体から構成される群より選ばれる化合物を、
【化１】
2008540591.tif 000001
【表１】
2008540591.tif 000002
炎症性の過程、痛み、熱、腫瘍、アルツハイマ型の疾病及びアテローム性硬化から構成される群より選ばれる障害の防止上又は治療上の処置用の薬物を生産するために使用すること。
【請求項２】
炎症性の過程が、浮腫、紅斑、関節の炎症、リウマチ様関節炎及び関節症の疾病から構成される群より選ばれる、請求項1の使用。
【請求項３】
腫瘍が、癌腫及び結腸-直腸及び肺の腺癌から構成される群より選ばれる、請求項1の使用。
【請求項４】
炎症性の過程、痛み、熱、腫瘍、アルツハイマ型の疾病及びアテローム性硬化から構成される群より選ばれる障害の防止上又は治療上の処置のための製剤上の組成物であって、次のTable 1に指示する式(I)の3-アミノカルバゾールのベンゾイル誘導体から構成される群より選ばれる化合物の治療上有効な量を個体に投与するために含有する、組成物。
【化２】
2008540591.tif 000003
【表２】
2008540591.tif 000004
【請求項５】
炎症性の過程が、浮腫、紅斑、関節の炎症、リウマチ様関節炎及び関節症の疾病から構成される群より選ばれる、請求項4の製剤上の組成物。
【請求項６】
腫瘍が、癌腫及び結腸-直腸及び肺の腺癌から構成される群より選ばれる、請求項4の製剤上の組成物。
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
−  カルベオール、チモール、オイゲノール、ボルネオール、カルバクロール、アルファ−イオノン、ベータ−イオノン、ならびにそれらの異性体、誘導体および混合物からなる群から選択される少なくとも１種の第一の治療用活性物質、および
−  抗腫瘍剤である少なくとも１種の第二の治療用活性物質、
を含んでなることを特徴とする製薬組成物。
【請求項２】
前記抗腫瘍剤が、葉酸拮抗剤、抗代謝物、アルキル化剤、白金塩、アントラサイクリンおよび挿入剤、抗トポイソメラーゼ類、細胞骨格に作用する薬剤、ブレオマイシン、アスパラギナーゼ、ならびにそれらの混合物からなる群から選択されることを特徴とする請求項１に記載の組成物。
【請求項３】
前記抗腫瘍剤が、メトトレキサート、５−フルオロウラシル、フルオロデオキシウリジン、シトシンアラビノシド、６−メルカプトプリン、６−チオグアニン、メクロロエタミン、シクロホスファミド、イホスファミド、メルファラン、クロラムブシル、チオテパ、マイトマイシンＣ、アジリジニルベンゾキノン（ＡＺＱ）、ブスルファン、カルムスチン（ＢＣＮＵ）、ロムスチン（ＣＣＮＵ）、ホテムスチン、カルボプラチン、ダウノルビシン、ドキソルビシンまたはアドリアマイシン、エピルビシン、ダクチノマイシンまたはアクチノマイシンＤ、ミトキサントロン、アムサクリン、テノポサイド、エトポサイド、イリノテカン、トポテカン、ビンクリスチン、ビンブラスチン、ビンデシン、ビノレルビン、タキソール、タキソテール、ならびにそれらの混合物からなる群から選択されることを特徴とする請求項１または２に記載の組成物。
【請求項４】
前記第一の治療用活性物質が、チモール、カルベオールまたはカルバクロールであることを特徴とする請求項１〜３のいずれか一項に記載の組成物。
【請求項５】
前記抗腫瘍剤が、ドキソルビシンであることを特徴とする請求項１〜４のいずれか一項に記載の組成物。
【請求項６】
前記第一および第二の治療用活性物質が、寒天水溶液に懸濁されることを特徴とする請求項１〜５のいずれか一項に記載の組成物。
【請求項７】
前記組成物が、界面活性剤または溶媒のいずれも含まないことを特徴とする請求項１〜６のいずれか一項に記載の組成物。
【請求項８】
−  カルベオール、チモール、オイゲノール、ボルネオール、カルバクロール、アルファ−イオノン、ベータ−イオノン、ならびにそれらの異性体、誘導体および混合物からなる群から選択される第一の治療用活性物質を含有する少なくとも１つの第一の容器、および
−  抗腫瘍剤である第二の治療用活性物質を含有する少なくとも１つの第二の容器を含んでなることを特徴とするキット。
【請求項９】
前記抗腫瘍剤が、葉酸拮抗剤、抗代謝物、アルキル化剤、白金塩、アントラサイクリンおよび挿入剤、抗トポイソメラーゼ類、細胞骨格に作用する薬剤、ブレオマイシン、アスパラギナーゼ、ならびにそれらの混合物からなる群から選択されることを特徴とする請求項８に記載のキット。
【請求項１０】
前記抗腫瘍剤が、メトトレキサート、５−フルオロウラシル、フルオロデオキシウリジン、シトシンアラビノシド、６−メルカプトプリン、６−チオグアニン、メクロロエタミン、シクロホスファミド、イホスファミド、メルファラン、クロラムブシル、チオテパ、マイトマイシンＣ、アジリジニルベンゾキノン（ＡＺＱ）、ブスルファン、カルムスチン（ＢＣＮＵ）、ロムスチン（ＣＣＮＵ）、ホテムスチン、カルボプラチン、ダウノルビシン、ドキソルビシンまたはアドリアマイシン、エピルビシン、ダクチノマイシンまたはアクチノマイシンＤ、ミトキサントロン、アムサクリン、テノポシド、エトポシド、イリノテカン、トポテカン、ビンクリスチン、ビンブラスチン、ビンデシン、ビノレルビン、タキソール、タキソテール、ならびにそれらの混合物からなる群から選択されることを特徴とする請求項８または９に記載のキット。
【請求項１１】
前記第一の治療用活性物質が、チモール、カルベオールまたはカルバクロールであることを特徴とする請求項８〜１０のいずれか一項に記載のキット。
【請求項１２】
前記抗腫瘍剤が、ドキソルビシンであることを特徴とする請求項８〜１１のいずれか一項に記載のキット。
【請求項１３】
患者における腫瘍による疾患の治療用医薬品の調製のための、請求項１〜７のいずれか一項に記載の組成物の使用。
【請求項１４】
投与される用量が：
−  前記第一の治療用活性物質の体重／日当り１０ｍｇ／ｋｇから２００ｍｇ／ｋｇの間、および
−  前記第二の治療用活性物質の体重／日当り２ｍｇ／ｋｇから１００ｍｇ／ｋｇの間、
であることを特徴とする請求項１３に記載の使用。
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
−  カルベオール、チモール、オイゲノール、ボルネオール、カルバクロール、アルファ−イオノン、ベータ−イオノン、ならびにそれらの異性体、誘導体および混合物からなる群から選択される少なくとも１種の第一の治療用活性物質、および
−  抗生物質である少なくとも１種の第二の治療用活性物質、
を含んでなることを特徴とする製薬組成物。
【請求項２】
前記抗生物質が、ベータ−ラクタム系、セファロスポリン系、テトラサイクリン系、リファマイシン系、ペプチド系、アミノシド系、フェニコール系およびマクロライド系、およびそれらの混合物からなる群から選択されることを特徴とする請求項１に記載の組成物。
【請求項３】
前記抗生物質が、アモキシシリン、クラブラン酸と組合わされたアモキシシリン、アンピシリン、ストレプトマイシン、エリスロマイシン、ポリミキシンＢ、クロラムフェニコール、テトラサイクリン、クロルテトラサイクリン、リファンピシン、イソニアジド、セファゾリン、ならびにそれらの誘導体および混合物からなる群から選択されることを特徴とする請求項１または２に記載の組成物。
【請求項４】
前記第一の治療用活性物質が、カルバクロール、カルベオール、チモール、アルファ−イオノンおよびベータ−イオノンからなる群から選択されることを特徴とする請求項１〜３のいずれか一項に記載の組成物。
【請求項５】
前記第一の治療用活性物質が、カルベオールまたはカルバクロールであり、前記抗生物質が、アモキシシリン、アンピシリン、クロラムフェニコール、テトラサイクリン、クロルテトラサイクリン、ストレプトマイシン、エリスロマイシン、ポリミキシンＢ、リファンピシン、およびクラブラン酸と組合わされたアモキシシリン、ならびにそれらの誘導体および混合物からなる群から選択されることを特徴とする請求項１〜４のいずれか一項に記載の組成物。
【請求項６】
前記第一の治療用活性物質が、カルベオールであり、前記抗生物質が、アモキシシリンであることを特徴とする請求項１〜５のいずれか一項に記載の組成物。
【請求項７】
前記第一の治療用活性物質が、アルファ−イオノンまたはベータ−イオノンであり、前記抗生物質が、セファゾリンであることを特徴とする請求項１〜４のいずれか一項に記載の組成物。
【請求項８】
前記第一の治療用活性物質が、チモールであり、前記抗生物質が、イソニアジドであることを特徴とする請求項１〜４のいずれか一項に記載の組成物。
【請求項９】
前記第一および第二の治療用活性物質が、寒天水溶液に懸濁されることを特徴とする請求項１〜８のいずれか一項に記載の組成物。
【請求項１０】
前記組成物が、界面活性剤または溶媒のいずれをも含まないことを特徴とする請求項１〜９のいずれか一項に記載の組成物。
【請求項１１】
−  カルベオール、チモール、オイゲノール、ボルネオール、カルバクロール、アルファ−イオノン、ベータ−イオノン、ならびにそれらの異性体、誘導体および混合物からなる群から選択される第一の治療用活性物質を含有する少なくとも１つの第一の容器、および
−  抗生物質である第二の治療用活性物質を含有する少なくとも１つの第二の容器、を含んでなることを特徴とするキット。
【請求項１２】
前記抗生物質が、ベータ−ラクタム系、セファロスポリン系、テトラサイクリン系、リファマイシン系、ペプチド系、アミノシド系、フェニコール系およびマクロライド系、およびそれらの混合物からなる群から選択されることを特徴とする請求項１１に記載のキット。
【請求項１３】
前記抗生物質が、アモキシシリン、クラブラン酸と組合わされたアモキシシリン、アンピシリン、ストレプトマイシン、エリスロマイシン、ポリミキシンＢ、クロラムフェニコール、テトラサイクリン、クロルテトラサイクリン、リファンピシン、イソニアジド、セファゾリン、およびそれらの誘導体ならびに混合物からなる群から選択されることを特徴とする請求項１１または１２に記載のキット。
【請求項１４】
前記第一の治療用活性物質が、カルバクロール、カルベオール、チモール、アルファ−イオノンおよびベータ−イオノンからなる群から選択されることを特徴とする請求項１１〜１３のいずれか一項に記載のキット。
【請求項１５】
前記第一の治療用活性物質が、カルベオールまたはカルバクロールであり、前記抗生物質が、アモキシシリン、アンピシリン、クロラムフェニコール、テトラサイクリン、クロルテトラサイクリン、ストレプトマイシン、エリスロマイシン、ポリミキシンＢ、リファンピシン、およびクラブラン酸と組合わされたアモキシシリン、ならびにそれらの誘導体および混合物からなる群から選択されることを特徴とする請求項１１〜１４のいずれか一項に記載のキット。
【請求項１６】
前記第一の治療用活性物質が、カルベオールであり、前記抗生物質が、アモキシシリンであることを特徴とする請求項１１〜１５のいずれか一項に記載のキット。
【請求項１７】
前記第一の治療用活性物質が、アルファ−イオノンまたはベータ−イオノンであり、前記抗生物質が、セファゾリンであることを特徴とする請求項１１〜１４のいずれか一項に記載のキット。
【請求項１８】
前記第一の治療用活性物質が、チモールであり、前記抗生物質が、イソニアジドであることを特徴とする請求項１〜１４のいずれか一項に記載のキット。
【請求項１９】
細菌により引き起こされた感染患者に対する治療用医薬品の調製のための、請求項１〜１０のいずれか一項に記載の組成物の使用。
【請求項２０】
投与される用量が：
−  前記第一の治療用活性物質の体重／日当り１０ｍｇ／ｋｇから２００ｍｇ／ｋｇの間、および
−  前記第二の治療用活性物質の体重／日当り２ｍｇ／ｋｇから１００ｍｇ／ｋｇの間、
であることを特徴とする請求項１９に記載の使用。